(57)【要約】【課題】部品の点数が少なく、組立て作業が容易であり、且つ製造コストが低減される三ピース式卓脚を持つテーブルを提供する。【解決手段】木質板卓表面１と、主卓脚２と、サイド卓脚３とから構成されている。主卓脚２は、コ型を呈する丸いチューブから構成され、上方およびサイド側には貫通孔２１、２３が開けられている。サイド卓脚３は、一端に円弧形欠け口３１が設けられてあり、円弧形欠け口３１の内部には管内ナット３２が設けられてあり、上方およびサイド側では貫通孔３３が開けられている。主卓脚２のサイド側の貫通孔２３に、サイド卓脚３の円弧形欠け口３１を合わせてネジ２４で締め付けた後、結合手段により、その卓脚組が木質板卓表面１と結合される。【選択図】　　　図１
0003098673.tif 000002
【実用新案登録請求の範囲】
【請求項１】
木質板卓表面と、主卓脚と、サイド卓脚とを備え、
前記主卓脚は、コ型を呈する丸いチューブから構成され、上方およびサイド側では貫通孔が開けられており、
前記サイド卓脚は、一端には円弧形欠け口が設けられており、前記円弧形欠け口の内部には管内ナットが設けられており、上方およびサイド側では貫通孔が開けられており、
前記主卓脚のサイド側での貫通孔に、前記サイド卓脚の円弧形欠け口を合わせてネジで締め付けられ、結合手段により卓脚組が前記木質板卓表面と結合されていることを特徴とする三ピース式卓脚を持つテーブル。
【請求項２】
前記主卓脚およびサイド卓脚は矩形チューブから構成されてもよく、前記主卓脚のサイド側での貫通孔に、サイド卓脚の一端に設けたネジ孔を合わせてネジで締め付けて結合し、且つ前記主卓脚と前記サイド卓脚との上では吸盤を設けるための孔が開けられており、前記孔に設けた吸盤により、ガラス卓表面が卓脚組と結合し、前記主卓脚と前記サイド卓脚との中段では別々に係止孔が設けられ、前記係止孔により網枠が前記主卓脚と前記サイド卓脚とから形成された空間に固定されていることを特徴とする請求項１に記載の三ピース式卓脚を持つテーブル。
【請求項３】
前記サイド卓脚は、Ｌ型を呈することを特徴とする請求項１に記載の三ピース式卓脚を持つテーブル。
【請求項４】
前記主卓脚と前記サイド卓脚との地面と接触する一端には、卓脚受けが嵌められていることを特徴とする請求項１に記載の三ピース式卓脚を持つテーブル。
【請求項５】
前記主卓脚と前記サイド卓脚との地面と接触する一端には、ネジ付き卓脚受けが設けられていることを特徴とする請求項２に記載の三ピース式卓脚を持つテーブル。
【考案の詳細な説明】
【０００１】
【考案の属する技術分野】
本考案は、組立て作業が簡単で快速に完成できる三ピース式卓脚を持つテーブルに関する。
【０００２】
【従来の技術】
時代の進展に伴って、われわれの生活水準もどんどん向上するため、日常の生活用品に対する要求も厳しくなり、特に家具類の用品に対する要求は、もっと厳しい。目下、市販している家具製品のなかに、ＤＩＹ家具という自分で組立てる家具はけっこう販売している。なお、テーブルは、卓表面と四卓脚とから構成され、販売するときには、卓表面と卓脚の結合状態は、固定式と分解式とに分けられる。
【０００３】
【考案が解決しようとする課題】
これは次のような欠点があった。
（イ）従来のテーブルの卓脚は四つのチューブから構成され、それらの卓脚が別々に卓表面に固定されたので、部品の点数が多くて、組立て作業も難しくなり、且つ製造コストも高くなった。
（ロ）従来のテーブルのような構成は、運輸している過程中に、かなりのスペースが必要なため、運輸コストは高くなった。
本考案の目的は、部品の点数が少なく、組立て作業が容易であり、且つ製造コストが低減される三ピース式卓脚を持つテーブルを提供することにある。
本考案の他の目的は、運輸コストが低減される三ピース式卓脚を持つテーブルを提供することにある。
【０００４】
【課題を解決するための手段】
上記課題を解決するためになされた本願の請求項１では、木質板卓表面と、主卓脚と、サイド卓脚とを備え、前記主卓脚は、コ型を呈する丸いチューブから構成され、上方およびサイド側では貫通孔が開けており、前記サイド卓脚は、一端には円弧形欠け口が設けており、前記円弧形欠け口の内部には管内ナットが設けており、上方およびサイド側では貫通孔が開けており、前記主卓脚のサイド側での貫通孔に、前記サイド卓脚の円弧形欠け口を合わせてネジで締め付けた後、結合手段により、その卓脚組を前記木質板卓表面と結合することを特徴とする。
【０００５】
本願の請求項２では、前記主卓脚およびサイド卓脚は矩形チューブから構成されてもよく、また、前記主卓脚のサイド側での貫通孔に、サイド卓脚の一端に設けたネジ孔を合わせてネジで締め付けて結合し、且つ前記主卓脚と前記サイド卓脚との上では吸盤を設けるための孔が開けており、前記孔に設けた吸盤により、ガラス卓表面が卓脚組と結合し、そして、前記主卓脚と前記サイド卓脚との中段では別々に係止孔が設けられ、前記係止孔により網枠が前記主卓脚と前記サイド卓脚とから形成された空間に固定されたことを特徴とする。
【０００６】
本願の請求項３では、前記サイド卓脚は、Ｌ型を呈することを特徴とする。
本願の請求項４では、前記主卓脚と前記サイド卓脚との地面と接触する一端には、卓脚受けが嵌められていることを特徴とする。
本願の請求項５では、前記主卓脚と前記サイド卓脚との地面と接触する一端には、ネジ付き卓脚受けが設けられていることを特徴とする。
【０００７】
【考案の実施の形態】
まず、図１から図３を参照する。図１と図２は、本考案の実施例の分解図である。図３は、本実施例の組立てた状態を示す斜視図である。
本実施例の三ピース式卓脚を持つテーブルは、主卓脚２のサイド側での貫通孔２３に、前記サイド卓脚３の円弧形欠け口３１を合わせてネジ２４で締め付けて構成された卓脚組を、ネジ２２により前記木質板卓表面１と結合する。なお、前記主卓脚２は、コ型を呈する丸いチューブから構成され、上方では貫通孔２１が開けており、ネジ２２が前記貫通孔２１を挿通して前記木質板卓表面１に締め付けることができる。また、前記サイド卓脚３は、Ｌ型を呈し、一端には円弧形欠け口３１が形成され、前記円弧形欠け口３１の内部には管内ナット３２が埋めており、前記管内ナット３２の中央にはネジ孔３２１が設けてある。また、サイド卓脚３の上方では、貫通孔３３が開けており、ネジ２２が前記貫通孔３３を挿通して前記木質板卓表面１に締め付けることができる。最後に、前記主卓脚２と前記サイド卓脚３との地面と接触する一端に卓脚受け３６を嵌め入れると、本実施例のテーブルの組立て作業が完成した。本考案では、二つのネジだけを使用することにより、サイド卓脚を主卓脚に固定することができるため、部品の点数が少なくなり、組立て作業も簡単になり、且つ製造コストも低減できた。
【０００８】
図４から図６に示すのは、本実施例のもう一つの実施例の分解図である。
前記主卓脚２およびサイド卓脚３は矩形チューブから構成されてもよく、また、前記主卓脚２のサイド側での貫通孔２３に、サイド卓脚３の一端に設けたネジ孔３４を合わせてネジ２４で締め付けて結合し（図５に示すように）、且つ前記主卓脚２と前記サイド卓脚３との上では吸盤３８を設けるための孔３７が開けており、前記孔３７に設けた吸盤３８により、ガラス卓表面４が卓脚組と結合している。そして、前記主卓脚２と前記サイド卓脚３との中段では別々に係止孔３９が設けられ、前記四係止孔３９により網枠５が前記主卓脚２と前記サイド卓脚３とから形成された空間に固定された。最後に、前記主卓脚２と前記サイド卓脚３との地面と接触する一端にネジ付き卓脚受け３５を嵌め入れると、本実施例のテーブルの組立て作業が完成した。本実施例では、二つのネジだけを使用することにより、サイド卓脚３を主卓脚２に固定することができるため、部品の点数が少なくなり、組立て作業も簡単になり、且つ製造コストも低減できた。そして、部品の点数が少なくなったため、運輸コストを低減することができる。
【０００９】
【考案の効果】
本考案は次のような効果がある。
（イ）二つのネジだけを使用することにより、サイド卓脚３を主卓脚２に固定して卓脚組を構成することができるため、部品の点数が少なくなり、組立て作業も簡単になり、且つ製造コストを低減することもできる。
（ロ）部品の点数が少なくなって、スペース及び重量を減らすことができるため、運輸コストを低減することができる。
【図面の簡単な説明】
【図１】本考案の実施例による三ピース式卓脚を持つテーブルを示す分解図である。
【図２】本考案の実施例による三ピース式卓脚を持つテーブルを示す分解図である。
【図３】本考案の実施例による三ピース式卓脚を持つテーブルの組立てた状態を示す斜視図である。
【図４】本考案のもう一つの実施例による三ピース式卓脚を持つテーブルの分解図である。
【図５】本考案のもう一つの実施例による三ピース式卓脚を持つテーブルの分解図である。
【図６】本考案のもう一つの実施例による三ピース式卓脚を持つテーブルの分解図である。
【符号の説明】
１　　卓表面
２　　主卓脚
２１　　貫通孔
２２　　ネジ
２３　　貫通孔
２４　　ネジ
３　　サイド卓脚
３１　　円弧形欠け口
３２　　管内ナット
３２１　　ネジ孔
３３　　貫通孔
３４　　ネジ孔
３５　　ネジ付き卓脚受け
３６　　卓脚受け
３７　　孔
３８　　吸盤
３９　　係止孔
４　　ガラス卓表面
５　　網枠
【図１】
0003098673.tif 000003
【図２】
0003098673.tif 000004
【図３】
0003098673.tif 000005
【図４】
0003098673.tif 000006
【図５】
0003098673.tif 000007
【図６】
0003098673.tif 000008